(57)【特許請求の範囲】
【請求項１】
ワークに対して塗装を行う塗装機であって、
ワークが収容される処理室と、
前記処理室に対して仕切り部を介して設けられた移動機構室と、
前記移動機構室内及び前記処理室内にまたがって収容され、前記移動機構室内に設けられた移動機構によって移動可能に設けられた移動部材と、
前記移動部材のうちの前記処理室内に位置する部分に設けられ、前記ワークに対して塗料を噴出する塗料噴出部と、
前記仕切り部において前記移動部材の移動経路に対応して形成され、前記移動部材が貫通状態とされるスリットと、
前記スリットに対応して配設され、前記移動部材とともに移動可能に設けられ、前記スリットを遮蔽する遮蔽ベルトとを有し、
前記遮蔽ベルトは、ほぼ無端状に形成されており、いずれも前記移動機構室内に設けられたプーリの間を循環可能に掛け渡されており、前記移動部材の移動に伴って循環移動するものである、
塗装機。
【発明の詳細な説明】
【０００１】
【発明の属する技術分野】
この発明は、ワークに対して塗装を行う塗装機に関するものである。
【０００２】
【従来の技術】
従来の塗装機として、次のようなものがある。
図５に示すように、その塗装機は、処理室１２０，移動機構室１３０，移動部材１６０を有している。
処理室１２０内にはワークＷが収容される。移動機構室１３０は、処理室１２０の上方において仕切り板部１５０を介して処理室１２０と隣接して設けられている。
移動部材１６０は、移動機構室１３０内及び処理室１２０内にまたがって収容されている。移動部材１６０は、移動機構室１３０内に設けられた移動機構によって移動可能とされており、移動部材１６０のうちの処理室１２０内に位置する部分には塗料噴出部１６４が設けられている。
【０００３】
図６に示すように、仕切り板部１５０には、スリット１５２が形成されている。スリット１５２は、移動部材１６０（その一対の脚部１６３）の移動経路に対応して形成されており、移動部材１６０はスリット１５２を貫通することによって、上述のように移動機構室１３０内及び処理室１２０内にまたがって位置して移動可能とされている。
そして、移動部材１６０が移動機構によって移動されつつ、塗料噴出部１６４から塗料が噴出されることによって、ワークＷに対して塗装が行われる。
【０００４】
【発明が解決しようとする課題】
しかしながら、上記従来の塗装機では、仕切り板部１５０に形成されたスリット１５２（正確には、そのうちの移動部材１６０が位置していない部分）は常に開口しており、処理室１２０と移動機構室１３０とが連通状態とされている。
このため、塗料噴出部１６４から噴出されて処理室１２０内において霧状となっている塗料が、スリット１５２を通って移動機構室１３０内に侵入してしまう。そして、その塗料が移動機構を構成する各部材（例えば軸受け等）に対して付着して、その移動機構の機能が低下してしまう。
【０００５】
そこで、本発明は、移動機構室内に塗料が侵入することが防止（低減を含む）された塗装機を提供することを課題とする。
【０００６】
【課題を解決するための手段】
上記の課題を解決するために、請求項１に係る発明は、ワークに対して塗装を行う塗装機であって、ワークが収容される処理室と、前記処理室に対して仕切り部を介して設けられた移動機構室と、前記移動機構室内及び前記処理室内にまたがって収容され、前記移動機構室内に設けられた移動機構によって移動可能に設けられた移動部材と、前記移動部材のうちの前記処理室内に位置する部分に設けられ、前記ワークに対して塗料を噴出する塗料噴出部と、前記仕切り部において前記移動部材の移動経路に対応して形成され、前記移動部材が貫通状態とされるスリットと、前記スリットに対応して配設され、前記移動部材とともに移動可能に設けられ、前記スリットを遮蔽する遮蔽ベルトとを有し、前記遮蔽ベルトは、ほぼ無端状に形成されており、いずれも前記移動機構室内に設けられたプーリの間を循環可能に掛け渡されており、前記移動部材の移動に伴って循環移動するものである、塗装機である。
【０００７】
この発明の塗装機では、次の作用効果が得られる。
移動部材が、仕切り部に形成されたスリットを貫通して、移動機構室内及び処理室内にまたがって収容される。そして、移動部材が移動機構（移動機構室内に位置する）によって移動されつつ、塗料噴出部（処理室内に位置する）から塗料が噴出されることによって、処理室内のワークに対して塗装が行われる。
【０００８】
その際、スリットに対応して配設され移動部材とともに移動可能に設けられた遮蔽ベルトが、スリットを遮蔽する。
このため、処理室内において霧状となった塗料がスリットを通って移動機構室内に侵入することが防止される。そして、移動機構室内の移動機構の機能が低下することが防止される。
【０００９】
また、この発明の塗装機では、ほぼ無端状に形成された遮蔽ベルトが移動部材の移動に伴って循環移動するため、省スペースが図られつつ、遮蔽ベルトが配設され得る。
なお、「ほぼ無端状」には「無端状」が含まれる。
【００１０】
【発明の実施の形態】
次に、本発明の一実施形態を図面に基づいて説明する。
図１に示すように、この塗装機はハウジング１０を有している。
ハウジング１０は、仕切り板部５０（仕切り部）によって仕切られている。ハウジング１０の内部うちの仕切り板部５０よりも下の部分が処理室２０であり、同じく仕切り板部５０の上側が移動機構室３０である。
【００１１】
処理室２０にはコンベア２２が配設されており、ワークＷ（被塗装物）がコンベア２２によって図１の紙面と直角の方向に移動される。
【００１２】
移動機構室３０内及び処理室２０内にまたがって、移動部材６０が配設されている。移動部材６０は、移動機構（次述）によって移動（図１中において左右に往復移動）可能とされている。
【００１３】
移動機構室３０内には、次のように移動機構が設けられている。
移動機構室３０内には、一対のスプロケット（駆動スプロケット３１ａ，従動スプロケット３１ｂ）が回転可能に配設されている。そして、チェーン３２が両スプロケット３１ａ，３１ｂにわたって掛け渡されている。
【００１４】
図２に示すように、駆動スプロケット３１ａには回転軸３３が固定され、回転軸３３は軸受け３４によって回転可能に支持されている。回転軸３３にはスプロケット３５が設けられている。ハウジング１０の上部にはモータ４０が設けられており、モータ４０の回転軸（符号省略）に設けられたスプロケット４１とスプロケット３５とにわたってチェーン４２が掛け渡されている。
図３に示すように、従動スプロケット３１ｂは、軸受け（符号省略）を介して固定軸３６に対して回転可能に取り付けられている。
【００１５】
このため、図１に示すように、モータ４０の回転軸の回転に伴って、駆動スプロケット３１ａが回転し、チェーン３２が両スプロケット３１ａ，３１ｂの間を循環する。
【００１６】
移動部材６０は、その基端部にベース部材６１を有し、ベース部材６１には一対の脚部６３が接続されている。ベース部材６１は移動機構室３０内に位置し、脚部６３の大半の部分は処理室２０内に位置している。
移動部材６０（脚部６３）の下端部には塗料噴出部６４が設けられている。塗料噴出部６４からは、微小な粒状の塗料が噴出される。
【００１７】
図２及び図３に示すように、チェーン３２の一箇所に連結部材６６が固定され、連結部材６６に対してベース部材６１が固定されている。このようにして、ベース部材６１（移動部材６０）がチェーン３２に対して接続されている。このため、図１〜図３に示すように、チェーン３２の循環に伴って、ベース部材６１が移動する。
【００１８】
移動機構室３０内には、上下に一対の水平なレール３９が位置固定的に設けられている。両レール３９は図１中において左右方向に延びている。ベース部材６１には、各レール３９に対応して被ガイド部６７が形成されており、被ガイド部６７はレール３９に対して嵌合されている。こうして、ベース部材６１の水平な移動がガイドされる。
以上のようにして、チェーン３２の循環に伴って、移動部材６０が水平に移動する。
【００１９】
図１〜図４に示すように、仕切り板部５０には、スリット５２が形成されている。スリット５２は、移動部材６０（脚部６３）の移動経路に対応して形成されている。すなわち、移動部材６０（脚部６３）は、スリット５２を通して、移動機構室３０内及び処理室２０内にまたがって位置しており、上述の移動（往復移動）が可能とされている。
【００２０】
移動機構室３０内には、ほぼ無端状の遮蔽ベルト７０が循環可能に配設されている。図４に示すように、遮蔽ベルト７０の各端部は、移動部材６０の各脚部６３に対して固定されている。両脚部６３の間には、両脚部６３の各端部をつなぐように、遮蔽板７１が設けられている。このため、遮蔽ベルト７０は、遮蔽板７１等とともに無端状とされている。
【００２１】
図１〜図３に示すように、移動機構室３０内には、一対の上側プーリ７２ａ及び一対の下側プーリ７２ｂが回転可能に設けられており、遮蔽ベルト７０は、その４つのプーリ７２ａ，７２ｂの間を循環可能に掛け渡されている。遮蔽ベルト７０のうちの一対の下側プーリ７２ｂの間の部分は、スリット５２に対応している。
【００２２】
図２〜図４に示すように、スリット５２には、一対のベルトガイド部５４が取り付けられている。両ベルトガイド部５４は、スリット５２の長さ方向に沿って延びている。各ベルトガイド部５４は、相互に向かって（すなわち、スリット５２の内側方向に向かって）開口した溝状をしている。そして、遮蔽ベルト７０（そのうちのスリット５２に対応する部分）は、一対のベルトガイド部５４（その開口）に嵌合されており、遮蔽ベルト７０がスリット５２に対応した状態に維持される。
【００２３】
以上のため、遮蔽ベルト７０は、移動部材６０の移動に伴って循環移動するとともに、遮蔽ベルト７０（そのうちの一対の下側プーリ７２ｂの間の部分）は、常に、スリット５２を遮蔽する。
【００２４】
次に、この塗装機の作用及び効果について説明する。
図１に示すように、この塗装機では、モータ４０の回転（正逆交互の回転）に伴って、駆動スプロケット３１ａが回転し、チェーン３２が循環し、移動部材６０が往復移動する。その状態で塗料噴出部６４から微小な粒状の塗料が噴出されることによって、コンベア２２によって移動されるワークＷに対して塗装が行われる。
【００２５】
上記のように移動部材６０が往復移動するのに伴って、遮蔽ベルト７０も往復循環移動する。そして、図２〜図４に示すように、遮蔽ベルト７０は、スリット５２を常に遮蔽する。
このため、処理室２０内において霧状となっている塗料が移動機構室３０内に侵入することが防止される。これによって、移動機構室３０内の移動機構の機能が低下することが防止される。
【００２６】
なお、上記のものはあくまで本発明の一実施形態にすぎず、当業者の知識に基づいて種々の変更を加えた態様で本発明を実施できることはもちろんである。
【図面の簡単な説明】
【図１】  本発明の一実施形態の塗装機を示す縦断面図である。
【図２】  本発明の一実施形態の塗装機の一部（駆動スプロケット及びその周辺）を示す縦断面図である。
【図３】  本発明の一実施形態の塗装機の一部（従動スプロケット及びその周辺）を示す縦断面図である。
【図４】  本発明の一実施形態の塗装機の要部を示す斜視図である。
【図５】  従来の塗装機を示す縦断面図である。
【図６】  従来の塗装機の要部を示す斜視図である。
【符号の説明】
２０  処理室
３０  移動機構室
３１ａ  駆動スプロケット（移動機構）
３１ｂ  従動スプロケット（移動機構）
３２  チェーン（移動機構）
５０  仕切り板部（仕切り部）
５２  スリット
６０  移動部材
６４  塗料噴出部
７０  遮蔽ベルト
【図１】
0004865168.tif 000002
【図２】
0004865168.tif 000003
【図３】
0004865168.tif 000004
【図４】
0004865168.tif 000005
【図５】
0004865168.tif 000006
【図６】
0004865168.tif 000007